(57)【要約】【課題】最終的に記録したい光ディスク等の準備ができない場合等であってもタイミングを逃さずに放送された情報を受信して記録できると共に、その受信後の情報のダビング時間が短く、且つ音質又は画質等が劣化しないように当該光ディスク等に受信した情報を記録することが可能な情報記録装置等を提供する。【解決手段】ＤＶＤに記録されるべき記録情報を外部から取得すると共に、ＤＶＤに記録後の記録態様に対応して取得した記録情報を符号化するエンコーダ２と、符号化された記録情報を、ハードディスクに一時的に記録すると共に、ハードディスクに記録されている記録情報を、少なくともその情報量を維持しつつＤＶＤに転送して記録するマイコン部８と、を備える。【選択図】  図１
2005050395.tif 000002
【特許請求の範囲】
【請求項１】
記録媒体に記録されるべき記録情報を外部から取得すると共に、当該記録媒体に記録後の当該記録情報の記録態様に対応して当該取得した記録情報を符号化する符号化手段と、
前記符号化された記録情報を、前記記録媒体とは異なる一時記録媒体に一時的に記録する記録手段と、
前記一時記録媒体に記録されている前記記録情報を、少なくとも当該記録情報の情報量を維持しつつ前記記録媒体に転送して記録する転送記録手段と、
を備えることを特徴とする情報記録装置。
【請求項２】
請求項１に記載の情報記録装置において、
符号化前の前記取得した記録情報の記録時間又は情報量の少なくともいずれか一方を取得する取得手段と、
前記記録媒体における記録可能容量を検出する検出手段と、を更に備え、
前記符号化手段は、前記取得された記録情報の記録時間又は情報量の少なくともいずれか一方及び前記検出された記録可能容量に基づいて、前記符号化された記録情報における情報量が、前記検出された記録可能容量以下となるように前記取得された記録情報を符号化することを特徴とする情報記録装置。
【請求項３】
請求項２に記載の情報記録装置において、
前記取得手段は、前記取得した記録情報における記録開始時刻及び記録終了時刻を取得することにより前記記録時間を取得すると共に、
前記符号化手段は、前記取得された記録時間及び前記検出された記録可能容量に基づいて、前記符号化された記録情報における情報量が、前記検出された記録可能容量以下となるように前記取得された記録情報を符号化することを特徴とする情報記録装置。
【請求項４】
請求項２又は３に記載の情報記録装置において、
前記検出手段は、前記記録可能容量を入力するために用いられる入力手段であることを特徴とする情報記録装置。
【請求項５】
請求項２又は３に記載の情報記録装置において、
前記検出手段は、前記記録媒体における全記録容量に対する前記記録可能容量の割合を入力するために用いられる入力手段であることを特徴とする情報記録装置。
【請求項６】
請求項２又は３に記載の情報記録装置において、
前記記録媒体における未記録部分の情報量を検出する未記録部分検出手段を更に備え、
前記検出手段は、前記未記録部分検出手段により検出された情報量を前記記録可能情報量として検出することを特徴とする情報記録装置。
【請求項７】
請求項２又は３に記載の情報記録装置において、
前記一時記録媒体から転送された前記記録情報を記録可能な前記記録媒体が複数あるとき、
前記検出手段は、いずれかの前記記録媒体において前記符号化された記録情報が記録される部分の記録容量を前記記録可能情報量として検出することを特徴とする情報記録装置。
【請求項８】
請求項７に記載の情報記録装置において、
各前記記録媒体において前記符号化された記録情報が記録される部分の記録容量を、当該各記録媒体に夫々対応する管理情報として記憶する記憶手段を更に備え、
前記検出手段は、いずれかの前記記録媒体において前記符号化された記録情報が記録される部分の記録容量を、前記記録手段から前記記録可能情報量として読み出すことを特徴とする情報記録装置。
【請求項９】
記録媒体に記録されるべき記録情報を外部から取得すると共に、当該記録媒体に記録後の当該記録情報の記録態様に対応して当該取得した記録情報を符号化する符号化工程と、
前記符号化された記録情報を、前記記録媒体とは異なる一時記録媒体に一時的に記録する記録工程と、
前記一時記録媒体に記録されている前記記録情報を、少なくとも当該記録情報の情報量を維持しつつ前記記録媒体に転送して記録する転送記録工程と、
を備えることを特徴とする情報記録方法。
【請求項１０】
情報記録装置に含まれるコンピュータを、
記録媒体に記録されるべき記録情報を外部から取得すると共に、当該記録媒体に記録後の当該記録情報の記録態様に対応して当該取得した記録情報を符号化する符号化手段、
前記符号化された記録情報を、前記記録媒体とは異なる一時記録媒体に一時的に記録する記録手段、及び、
前記一時記録媒体に記録されている前記記録情報を、少なくとも当該記録情報の情報量を維持しつつ前記記録媒体に転送して記録する転送記録手段、
として機能させることを特徴とする情報記録用プログラム。
【請求項１１】
請求項１０に記載の情報記録用プログラムが前記コンピュータで読取可能に記録されていることを特徴とする情報記録媒体。
【発明の詳細な説明】
【０００１】
【発明の属する技術分野】
本発明は、情報記録装置、情報記録方法、情報記録用プログラム及び当該情報記録用プログラムを記録した情報記録媒体の技術分野に属し、より詳細には、例えば放送電波を介して取得したテレビジョン放送の番組を光ディスク又はハードディスク等の記録媒体に記録する情報記録装置及び情報記録方法、並びに当該情報記録のための情報記録用プログラム及び当該情報記録用プログラムを記録した情報記録媒体の技術分野に属する。
【０００２】
【従来の技術】
従来から、放送番組等の情報を、例えばいわゆるレコーダ等に装填された光ディスク等に録画等することが行われている。
【０００３】
ここで、当該従来の録画等において、受信した情報を記録すべき光ディスクにおける未記録領域の記録容量（すなわち、当該光ディスクにおける記録可能容量）が予め判明している場合には、その記録可能容量以下の情報量となるように当該受信した情報を符号化してその光ディスク等に記録する、いわゆるジャストレコーディング機能という機能が開示されている。詳細については下記特許文献１に開示されている。
【特許文献１】
特開平６−７６４７４（図１及び図３等）
しかしながら、これら従来のレコーダ等においては、当該レコーダ等に対して記録媒体たる光ディスク等が挿入されていない場合には、その光ディスク等における記録可能容量が認識できないため、結果として符号化ができずに記録処理自体が実行できないことになる。
【０００４】
そこで、この点に対応すべく、受信した情報をその受信したタイミングに合わせて一旦別の記録媒体に記録した後に、改めて最終的に記録したい光ディスク等に対していわゆるダビングすることも行われていた。そして、このダビングの場合には、受信した情報を当該別の記録媒体に記録し、その後にそれを読み出して復号し、更に最終的に記録したい光ディスク等における記録可能容量以下の情報とすべく再度符号化して当該光ディスク等に記録する構成とされていた。
【０００５】
【発明が解決しようとする課題】
しかしながら、上述してきた構成を備える従来のレコーダ等においては、別の記録媒体に一時的に記録した後に本来記録すべき光ディスク等にダビングする場合であっても、一旦当該別の記録媒体に記録された情報を復号してから再符号化することとなることから、結果としてその再符号化のために要する時間が非常に長くなると言う問題点があった。
【０００６】
また、通常は当該別の記録媒体に一時的に記録する場合であってもその別の記録媒体に合致した符号化を行ってから記録することとなることから、結果として受信した情報に施される二度の符号化によって、当該受信した情報における音声又は画質が劣化してしまう場合があるという問題点があった。
【０００７】
そこで、本願は、上記の各問題点に鑑みて為されたものであり、その課題の一例は、最終的に記録したい光ディスク等の準備ができない場合等であっても記録すべきタイミングを逃さずに放送された情報を受信して記録できると共に、最終的に記録すべき光ディスク等が準備できない状態であってもダビング時間が短く、且つ音質又は画質等が劣化しないように当該光ディスク等に受信した情報を記録することが可能な情報記録装置及び情報記録方法並びに当該情報記録のための情報記録用プログラム及び当該情報記録用プログラムを記録した情報記録媒体を提供することにある。
【０００８】
【課題を解決するための手段】
上記の課題を解決するために、請求項１に記載の発明は、ＤＶＤ等の記録媒体に記録されるべき記録情報を外部から取得すると共に、当該記録媒体に記録後の当該記録情報の記録態様に対応して当該取得した記録情報を符号化するエンコーダ部等の符号化手段と、前記符号化された記録情報を、前記記録媒体とは異なる一時記録媒体に一時的に記録するマイコン部等の記録手段と、前記一時記録媒体に記録されている前記記録情報を、少なくとも当該記録情報の情報量を維持しつつ前記記録媒体に転送して記録するマイコン部等の転送記録手段と、を備える。
【０００９】
上記の課題を解決するために、請求項９に記載の発明は、記録媒体に記録されるべき記録情報を外部から取得すると共に、当該記録媒体に記録後の当該記録情報の記録態様に対応して当該取得した記録情報を符号化する符号化工程と、前記符号化された記録情報を、前記記録媒体とは異なる一時記録媒体に一時的に記録する記録工程と、前記一時記録媒体に記録されている前記記録情報を、少なくとも当該記録情報の情報量を維持しつつ前記記録媒体に転送して記録する転送記録工程と、を備える。
【００１０】
上記の課題を解決するために、請求項１０に記載の発明は、情報記録装置に含まれるコンピュータを、記録媒体に記録されるべき記録情報を外部から取得すると共に、当該記録媒体に記録後の当該記録情報の記録態様に対応して当該取得した記録情報を符号化する符号化手段、前記符号化された記録情報を、前記記録媒体とは異なる一時記録媒体に一時的に記録する記録手段、及び、前記一時記録媒体に記録されている前記記録情報を、少なくとも当該記録情報の情報量を維持しつつ前記記録媒体に転送して記録する転送記録手段、として機能させる。
【００１１】
上記の課題を解決するために、請求項１１に記載の発明は、請求項１０に記載の情報記録用プログラムが前記コンピュータで読取可能に記録されている。
【００１２】
【発明の実施の形態】
次に、本願に好適な実施の形態について、図面に基づいて説明する。
【００１３】
なお、以下の実施形態は、放送電波を介して受信した放送番組としての情報を一時的にハードディスクに記録すると共に、その後に当該情報をＤＶＤ（Ｄｉｇｉｔａｌ  Ｖｅｒｓａｔｉｌｅ  Ｄｉｓｃ）に転送して記録するレコーダに対して本願を適用した場合の実施の形態である。
【００１４】
（Ｉ）全体構成及び動作
始めに、実施形態に係る情報記録装置としてのレコーダの全体構成について、図１を用いて説明する。なお、図１は、実施形態に係るレコーダの概要構成を示すブロック図である。
【００１５】
図１に示すように、実施形態に係るレコーダＲは、入力インターフェース部１と、符号化手段としてのエンコーダ部２と、内蔵される一時記録媒体としてのハードディスク３ａに対して情報の記録及び再生が可能なＨＤドライブ装置３と、装填されている記録媒体としてのＤＶＤ４ａに対して情報の記録及び再生が可能なＤＶＤドライブ装置４と、デコーダ部５と、出力インターフェース部６と、入力手段としての入力部７と、記録手段及び転送記録手段としてのマイコン部８と、メモリ部９と、スイッチＳＷ１及びＳＷ２と、により構成されている。
【００１６】
次に、全体動作を説明する。
【００１７】
実施形態のレコーダＲにおいては、放送電波を介して受信した放送番組等の情報（以下、当該情報を、適宜番組と称する）を受信し、これを上記ハードディスク３ａ又はＤＶＤ４ａのいずれか一方に記録すると共に、当該記録した番組を当該いずれか一方から検出して再生し、図示しないディスプレイ又はスピーカに出力することが可能とされている。
【００１８】
そこで、先ず、受信した番組をハードディスク３ａに記録する場合の全体動作について説明する。なお、受信した番組をハードディスク３ａに記録する場合には、スイッチＳＷ１は、マイコン部８からの制御信号Ｓｃｓｗ１に基づいてＨＤドライブ装置３側に切り換えられている。
【００１９】
受信すべき番組を搬送する放送電波はアンテナＡＮＴにより受信され、受信部１０において復調等の処理が施された後に受信信号Ｓｄｔとして入力インターフェース部１へ出力される。
【００２０】
次に、入力インターフェース部１は、マイコン部８からの制御信号Ｓｃｉｆに基づいて、上記受信信号Ｓｄｔに対して予め設定されている入力インターフェース処理を施し、処理受信信号Ｓｄｉを生成してエンコーダ部２へ出力する。
【００２１】
これにより、エンコーダ部２は、マイコン部８からの制御信号Ｓｃｅｎに基づいて、上記処理受信信号Ｓｄｉに対してこれをハードディスク３ａに記録するための符号化処理を施し、符号化信号Ｓｅｎを生成し、既にＨＤドライブ装置３側に切り換えられているスイッチＳＷ１を介して当該ＨＤドライブ装置３へ出力する。
【００２２】
そして、ＨＤドライブ装置３内の図示しない記録部は、マイコン部８からの制御信号Ｓｃｈｄに基づいて、当該符号化信号Ｓｅｎをハードディスク３ａに記録する。これにより、受信した番組がハードディスク３ａに記録されることとなる。
【００２３】
次に、受信した番組をＤＶＤ４ａに記録する場合の全体動作について説明する。なお、受信した番組をＤＶＤ４ａに記録する場合には、スイッチＳＷ１は、マイコン部８からの制御信号Ｓｃｓｗ１に基づいてＤＶＤドライブ装置４側に切り換えられている。
【００２４】
受信した番組をＤＶＤ４ａに記録する場合には、先ず、受信部１０、入力インターフェース部１及びエンコーダ部２において、上述した受信した番組をハードディスク３ａに記録する場合と同様の処理を実行し、生成された符号化信号Ｓｅｎを、既にＤＶＤドライブ装置４側に切り換えられているスイッチＳＷ１を介して当該ＤＶＤドライブ装置４へ出力する。
【００２５】
そして、ＤＶＤドライブ装置４内の図示しない記録部は、マイコン部８からの制御信号Ｓｃｄｖｄに基づいて、当該符号化信号ＳｅｎをＤＶＤ４ａに記録する。これにより、受信した番組がＤＶＤ４ａに記録されることとなる。
【００２６】
次に、ハードディスク３ａに記録されている情報を再生して出力する場合の全体動作について説明する。なお、当該記録されている情報を再生する場合には、スイッチＳＷ２は、マイコン部８からの制御信号Ｓｃｓｗ２に基づいてＨＤドライブ装置３側に切り換えられている。
【００２７】
ハードディスク３ａに記録されている情報を再生して出力する場合には、始めに、ＨＤドライブ装置３内の図示しない再生部が、マイコン部８からの制御信号Ｓｃｈｄに基づいて、ハードディスク３ａに記録されている情報を検出し、検出信号Ｓｐｕｈを生成し、既にＨＤドライブ装置３側に切り換えられているスイッチＳＷ２を介してデコーダ部５へ出力する。
【００２８】
そして、デコーダ部５は、マイコン部８からの制御信号Ｓｃｄｃに基づいて、上記検出信号Ｓｐｕｈを復号し、復号信号Ｓｄｃを生成して出力インターフェース部６へ出力する。
【００２９】
これにより、出力インターフェース部６は、マイコン部８からの制御信号Ｓｃｉｆに基づいて、上記復号信号Ｓｄｃに対して予め設定されている出力インターフェース処理を施し、出力信号Ｓｏｕｔを生成して図示しないディスプレイ又はスピーカ等に出力する。これにより、ハードディスク３ａに記録されていた情報としての画像又は音声等が再生されることとなる。
【００３０】
最後に、ＤＶＤ４ａに記録されている情報を再生して出力する場合の全体動作について説明する。なお、当該記録されている情報を再生する場合には、スイッチＳＷ２は、マイコン部８からの制御信号Ｓｃｓｗ２に基づいてＤＶＤドライブ装置４側に切り換えられている。
【００３１】
ＤＶＤ４ａに記録されている情報を再生して出力する場合には、始めに、ＤＶＤドライブ装置４内の図示しない再生部が、マイコン部８からの制御信号Ｓｃｄｖｄに基づいて、ＤＶＤ４ａに記録されている情報を検出し、検出信号Ｓｐｕｄを生成し、既にＤＶＤドライブ装置４側に切り換えられているスイッチＳＷ２を介してデコーダ部５へ出力する。
【００３２】
その後、デコーダ部５及び出力インターフェース部６は、上述したハードディスク３ａに記録されている情報を再生して出力する場合と同様の復号処理及び出力インターフェース処理を検出信号Ｓｐｕｄに対して施し、同様に出力信号Ｓｏｕｔを生成して図示しないディスプレイ又はスピーカ等に出力する。これにより、ＤＶＤ４ａに記録されていた情報としての画像又は音声等が再生されることとなる。
【００３３】
ここで、上述してきた全体動作を制御するための操作は、ボタン操作部又はリモートコントロール部等よりなる入力部７において実行され、当該入力部７からは当該操作に対応する操作信号Ｓｏｐｓがマイコン部８に出力される。
【００３４】
そして、マイコン部８は、当該操作信号Ｓｏｐｓに基づいて、入力部７において実行された操作に対応する動作が実行されるようにレコーダＲの構成部材を制御するための上記制御信号Ｓｃｓｗ１、Ｓｃｉｆ、Ｓｃｅｎ、Ｓｃｈｄ、Ｓｃｄｖｄ、Ｓｃｓｗ２、Ｓｃｈｄ及びＳｃｄｃを生成して各構成部材に出力する。また、当該マイコン部８の処理に必要な情報はメモリ信号Ｓｍとしてメモリ部９に出力されて一時的に記憶された後に、必要に応じて再度メモリ信号Ｓｍとしてメモリ部９から読み出され、マイコン部９における処理に供される。
【００３５】
なお、後述する本願に係る記録処理において、ハードディスク３ａからＤＶＤ４ａへ情報を転送するときは、上記制御信号Ｓｃｈｄ及びＳｃｄｖｄに基づいて、転送信号ＳｈｄとしてＨＤドライブ装置３からＤＶＤドライブ装置４へ出力される。また、同様にＤＶＤ４ａからハードディスク３ａへ情報を転送するときは、上記制御信号Ｓｃｈｄ及びＳｃｄｖｄに基づいて、転送信号ＳｄｈとしてＤＶＤドライブ装置４からＨＤドライブ装置３へ出力される。
【００３６】
（ＩＩ）本願の実施形態
次に、実施形態に係る情報の記録処理について、図１乃至図３を用いて説明する。なお、図２は実施形態に係る記録処理の全体を示すフローチャートであり、図３はその細部処理を示すフローチャートである。
【００３７】
また、以下の実施形態は、放送されている番組を受信し、これをハードディスク３ａに一時的に記録した後、ＤＶＤ４ａに転送して記録する場合の実施形態である。
【００３８】
図２に示すように、実施形態の記録処理においては、始めに、入力部７において録画を希望する番組のチャンネル及び録画時間の指定が行われる。そして、ＤＶＤ４ａにおける記録可能容量に合わせて録画を行うか否か、すなわち、ＤＶＤ４ａに録画した情報を転送して記録する際の記録容量を予め見越してハードディスク３ａに録画する（以下、当該録画方法を調整録画と称する。）か否かを確認する旨の表示を、図示しない表示部等において実行する（ステップＳ１）。
【００３９】
そして、調整録画を行わないときは（ステップＳ１；ＮＯ）、当該ＤＶＤ４ａにおける記録容量とは無関係に、記録後の再生画質等を考慮して使用者が所望する記録レートを入力部７において設定し、その設定した記録レートを用いて受信した番組をハードディスク３ａに記録して（ステップＳ８）、一連の記録処理を終了する。
【００４０】
一方、ステップＳ１の判定において、調整録画を行うときは（ステップＳ１；ＹＥＳ）、次に、使用者が受信及び記録を所望する番組の記録時間（テレビジョン放送の場合は、通常、放送時間と同一となる）を入力部７において設定する（ステップＳ２）。ここで、当該記録時間の入力態様として具体的には、記録すべき番組の放送開始時刻と放送終了時刻とを入力することにより当該記録時間を入力してもよいし、又は記録すべき番組の放送開始時刻とその放送時間とを入力することにより当該記録時間を入力してもよい。
【００４１】
番組側の記録時間の設定が完了すると、次に、その番組を最終的に記録するＤＶＤ４ａにおける、当該番組の記録に割り当てられる記録容量の設定を、入力部７を用いて行う（ステップＳ３）。ここで、当該ステップＳ３においては、一時的にハードディスク３ａに記録した後に最終的にＤＶＤ４ａ上に転送して記録する際の記録容量が、後ほど詳述する処理により入力部７において入力される。
【００４２】
そして、マイコン部８は、上記ステップＳ２において入力された記録時間と、上記ステップＳ３において入力された記録容量と、に基づいて、当該記録時間を有する番組が最終的に当該記録容量を有する情報に符号化されるように、エンコーダ部２における符号化レートを決定して一時的にメモリ部９に記録する（ステップＳ４）。ここで、当該符号化レートの決定方法の一例としては、例えば上記ステップＳ３において入力された記録容量を上記ステップＳ２において入力された記録時間で除した値を当該符号化レートとして決定する。なお、基本的には、この決定された符号化レートは、後述するハードディスク３ａからＤＶＤ４ａへ番組を転送する際の転送レートと同値となる。
【００４３】
その後、エンコーダ部２は、所望の番組の受信が開始されると、当該受信した番組に対応する処理受信信号Ｓｄｉを当該決定された符号化レートを用いて符号化し、符号化信号ＳｅｎとしてスイッチＳＷ１を介してＨＤドライブ装置３へ出力する。
【００４４】
そして、ＨＤドライブ装置３は符号化信号Ｓｅｎをハードディスク３ａに記録する（ステップＳ５）。これにより、受信した番組がハードディスク３ａに一時的に記録されることとなる。
【００４５】
その後、ＤＶＤ４ａがＤＶＤドライブ装置４に装填等されることで、当該ＤＶＤ４ａへの番組の記録準備が完了すると、上記ハードディスク３ａに一時的に記録（上記ステップＳ５参照）していた番組を、少なくともその記録容量をそのまま維持しつつＤＶＤ４ａに記録するために必要な記録フォーマットの変換処理等を行った後に転送信号ＳｈｄとしてＨＤドライブ装置３からＤＶＤドライブ装置４へ転送し（ステップＳ６）、更に当該ＤＶＤドライブ装置４において上記ステップＳ３において設定した記録容量でもって当該転送されてきた番組をＤＶＤ４ａに記録して一連の実施形態に係る記録処理を完了する。なお、ステップＳ６の転送処理においては、記録容量調整のための（画質の劣化を伴う）再符号化や再復号を行なう必要はなく、ハードディスク３ａにおける記録容量（すなわち、所望されるＤＶＤ４ａ上の記録容量）のまま転送すれば、そのままＤＶＤ４ａへの記録処理の実行が可能となる。
【００４６】
次に、上記ステップＳ３における、番組の記録容量の設定処理の細部について、具体的に図３を用いて説明する。
【００４７】
上記ステップＳ３における記録容量の設定処理としては、初めに、ディスク管理情報を用いて記録容量の設定を行うか否かを、図示しない表示部等を用いて使用者に確認する（ステップＳ２１）。
【００４８】
ここで、当該ディスク管理情報とは、過去においてＤＶＤドライブ装置４を用いて何らかの情報が記録されたＤＶＤ４ａが複数ある場合に、それら複数のＤＶＤ４ａの個体相互を識別するための属性情報を言う。
【００４９】
より具体的には、例えば、ＤＶＤ４ａ一枚毎のタイトル、記録済み容量、未記録容量等がディスク管理情報として予めメモリ部９又はハードディスク３ａ内に記録されている。
【００５０】
そして、ステップＳ２１の判定において、例えばＤＶＤ４ａが未だＤＶＤドライブ装置４内に装填されていない等の理由により、上記ディスク管理情報を用いて記録容量を設定することとするときは（ステップＳ２１；ＹＥＳ）、次に、その記録されている複数のディスク管理情報から、受信した番組を記録しようとするＤＶＤ４ａに対応するディスク管理情報を選択し（ステップＳ２２）、更に当該選択されたディスク管理情報に対応するＤＶＤ４ａにおける記録可能容量（より具体的には、追記型のＤＶＤ４ａの場合は未記録領域の情報量であり、書換可能型のＤＶＤ４ａの場合はそのＤＶＤ４ａ全体の記録容量未満の情報量となる）をそのディスク管理情報から取得し（ステップＳ２３）、その取得した記録可能容量を上記ステップＳ４の処理に用いられる記録容量としてマイコン部８内で設定して（ステップＳ２４）、上記したステップＳ４の処理へ移行する。
【００５１】
一方、上記ステップＳ２１の判定において、上記ディスク管理情報を用いて記録容量を設定しないときは（ステップＳ２１；ＮＯ）、次に、図示しない表示部等を用いて、ＤＶＤドライブ装置４内に実際に装填されているＤＶＤ４ａにおける未記録領域の情報量を、ステップＳ４における符号化レート設定用の記録容量として使用するか否かを使用者に確認する（ステップＳ２６）。
【００５２】
そして、当該未記録領域の情報量を符号化レート設定用の記録容量として用いる場合は（ステップＳ２６；ＹＥＳ）、その情報量を装填されているＤＶＤ４ａから実際に検出し、それを上記ステップＳ４の処理に用いられる記録容量としてマイコン部８内で設定して（ステップＳ２４）、上記したステップＳ４の処理へ移行する。
【００５３】
他方、上記ステップＳ２６の判定において、実際に装填されているＤＶＤ４ａにおける未記録領域の情報量を符号化レート設定用の記録容量として用いない場合は（ステップＳ２６；ＮＯ）、直接使用者が当該記録容量を入力する必要があることを、図示しない表示部等を用いて確認すると共にその入力まで待機し、その記録容量の入力があったときは（ステップＳ２８）、その入力された記録容量を上記ステップＳ４の処理に用いられる記録容量としてマイコン部８内で設定して（ステップＳ２４）、上記したステップＳ４の処理へ移行する。ここで、当該記録容量の入力態様としては、記録容量自体を直接数値で入力するように構成することもできるし、或いは、転送・記録すべきＤＶＤ４ａにおける全記録容量に対する割合を入力するように構成することもできる。
【００５４】
なお、ＤＶＤ４ａに転送・記録された番組の当該ＤＶＤ４ａからの再生の処理については、上述した全体処理における再生処理とまったく同様であるので、細部の説明は省略する。
【００５５】
以上説明したように、実施形態のレコーダＲにおける記録処理によれば、エンコーダ部２において、ＤＶＤ４ａに記録後の記録容量等の記録態様に対応した符号化レート等を用いた符号化を行い、それをハードディスク３ａに一時的に記録後にそのままＤＶＤ４ａに転送して記録するので、転送時の再符号化・再復号に起因する転送の長時間化並びに画質の劣化を抑制することができる。
【００５６】
また、符号化時において、ＤＶＤ４ａにおける記録可能容量未満となるように受信した番組を符号化するので、確実に所望される番組の全てをＤＶＤ４ａに転送・記録することができる。
【００５７】
更にまた、記録すべき番組の放送開始時刻及び放送終了時刻を用いて記録時間を設定するので、簡易に番組の符号化レートを設定することができる。
【００５８】
また、入力部７を用いて使用者が直接記録容量を入力することも可能であるので、より高度な自由度をもって記録容量を設定することができる。
【００５９】
更に、番組の転送・記録が所望されているＤＶＤ４ａの全記録容量に対する記録可能容量の割合を入力することで記録容量を設定する場合には、より直感的な方法で記録容量が入力でき、使用者にとって使いやすいレコーダＲとなる。
【００６０】
更にまた、実際に装填されているＤＶＤ４ａにおける未記録領域の情報量を検出し、これを記録容量とするので、使用者の手を煩わせることなく簡易に記録容量を設定することができる。
【００６１】
また、ＤＶＤドライブ装置４において取り扱われたことのあるＤＶＤ４ａに対応するディスク管理情報を用いて記録容量を設定する場合には、使用者が忘却してしまっていたＤＶＤ４ａをも選択の対象とすることができ、より取り扱いが容易なレコーダＲとなる。
【００６２】
なお、上述した実施形態では、ハードディスク３ａに一時的に録画された番組をＤＶＤ４ａに転送・記録する場合について説明したが、これ以外に、ＤＶＤ４ａに一時的に録画された番組をハードディスク３ａに転送・記録する場合について本願を適用することも可能である。この場合、図２ステップＳ６における転送処理としては、ＤＶＤ４ａに一時的に記録していた番組を、少なくともその記録容量をそのまま維持しつつハードディスク３ａに記録するために必要な記録フォーマットの変換処理等を行った後に転送信号ＳｄｈとしてＤＶＤドライブ装置４からＨＤドライブ装置３へ転送し（ステップＳ６）、更に当該ＨＤドライブ装置３において当該転送されてきた番組をハードディスクＨＤ３ａに記録して一連の実施形態に係る記録処理を完了することとなる。
【００６３】
更には、本願は、レコーダＲ内の備えられる二つの記録媒体が共にハードディスク３ａ又はＤＶＤ４ａである場合であって、相互に番組を転送する場合に適用することも可能である。更に、当該各記録媒体のうち少なくともいずれか一つがいわゆる半導体メモリや磁気メモリ等の固体メモリである場合に本願を適用することも可能である。すなわち、本願はレコーダＲ内に備えられる記録媒体の種類（形態）には左右されず、あらゆる記録媒体に対して適用することが可能である。
【００６４】
なお、図２及び図３に示すフローチャートに対応するプログラムを、フレキシブルディスク等の情報記録媒体に記録しておき、或いは当該プログラムをインターネット等のネットワークを介して取得して記録しておき、これらを汎用のマイクロコンピュータ等を用いて読み出して実行することにより、当該汎用のマイクロコンピュータを実施形態に係るマイコン部２として用いることも可能である。
【図面の簡単な説明】
【図１】実施形態のレコーダの概要構成を示すブロック図である。
【図２】実施形態の動作の全体を示すフローチャートである。
【図３】実施形態の動作の細部を示すフローチャートである。
【符号の説明】
１…入力インターフェース部
２…エンコーダ部
３…ＨＤドライブ装置
３ａ…ハードディスク
４…ＤＶＤドライブ装置
４ａ…ＤＶＤ
５…デコーダ部
６…出力インターフェース部
７…入力部
８…マイコン部
９…メモリ部
１０…受信部
Ｒ…レコーダ
ＡＮＴ…アンテナ
ＳＷ１、ＳＷ２…スイッチ
【図１】
2005050395.tif 000003
【図２】
2005050395.tif 000004
【図３】
2005050395.tif 000005